(57)【要約】【課題】本発明は、庭や鉢植え、コンクリートの隙間などに生えた草を、土に根を残さず確実に、また手を汚さず簡単に取り除くことを課題とする。【解決手段】ピンセット状に形成された把持部の一方の先端に、草の根にむかって突き刺し根を掘りおこすための突設部をつくる。この突設部に凹凸を一体的に形成する。この凹凸部が互いに噛合するように、一方の先端に凹凸部を、対向するもう一方に凸凹部をつくる。この噛合する凹凸部で草を確実にとらえられ、手を汚さず簡単に草を取り除くことができる。【選択図】図１
2006217889.tif 000002
【特許請求の範囲】
【請求項１】
ピンセット状に形成されている把持部の一方の先端に突設部と凹凸部を、該凹凸部に対向するもう一方に凸凹部を設け、これらの凹凸部が互いに噛合するようにした草取り器具。
【発明の詳細な説明】
【技術分野】
【０００１】
本発明は、手を汚さず片手で簡単に庭や鉢植え、コンクリート隙間に生える雑草を根ごと完全に取り除く器具に関する。
【背景技術】
【０００２】
従来の草取り器具には、梃子の力によって草を抜くものなどがある。これは長さが約２０cmで板状のものさしによく似たかたちをしており先端がＭ状になっている。このＭ状の部分が上向きに曲がっており、この部分が梃子となって草を抜くという器具である。
しかし、この器具では抜いた草を取り除くために手を汚さなければならなかったり、また先端がＭ状であるため、抜こうとする草の根を切ってしまうおそれもあり、その根を土に残してしまうことがある。
また、先端がＭ字状に形成されたスコップを草の根に突き刺し、後部の少し丸く凹んだ所に抜いた草をのせて取り除く器具などもある。
この器具では、鉢植えの雑草を抜く際に大切に育てている花の根をも傷つけることがある。
そのほか、先端の刃先が合わさったピンセット状のものなどもあるが、刃先が合わさっただけでは抜き取る際に草が切れてしまう。
【特許文献１】特開２０００−１２５６０１号公報
【特許文献２】特開平８−３３１９０１号公報
【発明の開示】
【発明が解決しようとする課題】
【０００３】
・  草をつかんで抜いたり、根にむけて先端を突き刺して掘りおこすだけでは取り除くことが難しい草を根を残さず確実に除去すること。
・  コンクリートの隙間などに生えた、抜くことが困難な草を取り除くこと。
・  抜いた草を手を汚すことなく取り除くこと。
【０００４】
本発明は、器具の先端に突設部をつくり、この突設部を草の根にむけて突き刺し、根を切らずに掘りおこし根ごと挟み込むことにより手を汚さず片手だけで簡単に草を取り除くことができる草取り器具を提供することを目的とするものである。
【課題を解決するための手段】
【０００５】
課題を解決するための手段として、本発明において、器具の先端に草の根にむけ土に突き刺し根ごと掘りおこすための突設部を、また、草をつかんで取り除くためにこの突設部分に噛合する凹凸部を形成する。
本発明の全体の形は、屈折したピンセットのように形成する。器具の先端の一方に突設部をつくることにより、この突設部を直接草の根の底に突き刺すことができるので、草を根ごと掘りおこすことが可能となる。草を根ごと掘りおこすことで根が切れて土に残ってしまう確率も低くなり、他の花などの根を傷つけるおそれも少なくなる。
また、この突設部分に凹凸部を、対向するもう一方の先端に屈折した凸凹部を形成する。これらの凹凸部が互いに噛合し、対象の草を確実につかむことができることが本発明の重要なポイントである。
【発明の効果】
【０００６】
本発明による草取り器具を使用することにより、草の根を土に残すことなく確実に、また手を汚すことなく雑草を取り除くことができる。
把持部の先端に形成した突設部で雑草の根を切削することなく掘りおこすことが可能となるので、大切な花や野菜などの根を傷つけずに対象の草を取り除くことができる。狭いコンクリートの隙間などの固い土に生えた雑草も、この突設部を隙間に差し込むことにより、根ごと掘りおこすことができる。
また、この把持部の一方の先端に突設部と凹凸部をつくることにより、突設部で掘りおこした根をしっかりととらえられるので、抜いた草を手でふれることなく取り除くことができる。すなわち手を汚さず確実に草を取り除くことができる。
【発明を実施するための最良の形態】
【０００７】
本発明による草取り器具の最良の形態を図面により詳細に説明する。
図１は、草取り器具を示す斜視図である。
同図において、１は草取り器具で、該草取り器具１は把持部２、支部３から構成されている。把持部２は、下把持部２１、上把持部２２からなり、これらは支部３にて一体的に連結されている。把持部２１の先端部には突設部４および凹凸部５が形成されている。また、把持部２２の先端部には上記凹凸部５に対向して凸凹部６が形成されている。これら凹凸部５，６は、把持部２を握った際に互いに噛合するように構成されている。また、把持部２の長さを長く形成することにより手の届きにくい場所の草も取り除くことができる。
【０００８】
図２は、草取り器具の収納状態を示す側面図である。
同図示のとおり草取り器具１を使用しない場合には、凹凸部５，６を噛合した状態で把持部２に支部３よりO状リング１０をはめ、上下把持部２１，２２を固定させる。
同図のように把持部２を握った場合に、突設部４と噛合した凹凸部５，６とが曲線的に連続して美麗に形成される。上記O状リング１０は、金属あるいは合成樹脂などで精製する。
【０００９】
図３は、草取り器具を開いた状態で突設部４を草の根部に突き刺し、草の根を掘りおこしているところを斜めから表している状態を示す概略説明図である。
【００１０】
図４は、突設部４で掘りおこした草７を、上下把持部２１，２２を握り凹凸部５，６で噛合させた状態を示す概略説明図である。この噛合部において、突設部４で掘りおこした草をしっかりととらえることで根ごと確実に、手を汚さず草を取り除くことができる。
また、手を伸ばしても届かない場所などに生えている草も器具が長く形成されているため、らくに取り除くことができる。
【００１１】
図５は、鉢植えの雑草を取り除いている状態を示す概略説明図である。大切に育てている花と花の間に生えた雑草に、本発明の突設部４を下にし、根にむけて突き刺すことで大切な花を傷つけず雑草の根だけを掘りおこすことができる。掘りおこされた雑草は、凹凸部５，６によって確実にとらえられ、根を残すこなく完全に取り除くことができる。
【００１２】
図６は、コンクリートの隙間などに生えた小さな雑草を取り除いている状態である。
本発明を草の根に対してやや垂直ぎみに突き刺し、根を掘りおこす。このような狭い隙間などに生えている草は、根が横に広がらず縦方向に生えていることが多いため、本発明を垂直ぎみに突き刺して根を掘りおこす。そして、凹凸部５，６で草をつかみそのまま引き抜くことで確実に草を取り除くことができる。
上記の作業は、すべて片手だけで行え、手を汚さなくてもよい。
【図面の簡単な説明】
【００１３】
【図１】本発明による草取り器具を示す斜視図である。
【図２】本発明による草取り器具の突設部を噛合させた状態を示す斜視図である。
【図３】本発明による草取り器具の突設部において草を挟み込んだ状態を示す概略説明図である。
【図４】本発明による草取り器具の突設部において草の根を掘りおこした後、凹凸部で草をつかんだ状態を示す概略説明図である。
【図５】本発明による草取り器具により鉢植えの草を取っている状態を示す概略説明図である。
【図６】本発明による草取り器具によりコンクリートの隙間に生えた草を取っている状態を示す概略説明図である。
【符号の説明】
【００１４】
１    草取り器具
２    把持部
２１  下把持部
２２  上把持部
３    支部
４    突設部
５    凹凸部
６    凸凹部
７    草
９    コンクリート
１０  O状リング
【図１】
2006217889.tif 000003
【図２】
2006217889.tif 000004
【図３】
2006217889.tif 000005
【図４】
2006217889.tif 000006
【図５】
2006217889.tif 000007
【図６】
2006217889.tif 000008